(57)【要約】【課題】  交通機関の施設に備えられているテレビモニター、音声アナウンスに対して利用者が搭乗案内を絶えず確認する煩わしさを解消する。【解決手段】交通機関の搭乗エリアで搭乗案内を提供する交通情報配信システムに、交通機関の搭乗案内を保持し、保持した搭乗案内を更新し更新した搭乗案内を配信するセントラルサーバ３００と、交通機関の搭乗エリアの主要経路に配置され、近距離通信の機能を有し、セントラルサーバに接続され、交通機関の最新の搭乗案内の配信の媒体となる複数の搭乗案内装置２００と、近距離通信を行う機能を有し、近距離通信で搭乗案内装置を経由してセントラルサーバに搭乗案内の要求を行い、配信された最新の搭乗案内を表示する携帯通信端末１００とを備える。【選択図】図１
2006254245.tif 000002
【特許請求の範囲】
【請求項１】
交通機関の搭乗エリアで搭乗案内を提供する交通情報配信システムにおいて、
交通機関の搭乗案内を保持し、保持した前記搭乗案内を更新し更新した搭乗案内を配信するセントラルサーバと、
交通機関の搭乗エリアの主要経路に配置され、近距離通信の機能を有し、前記セントラルサーバに接続され、交通機関の最新の搭乗案内の配信の媒体となる複数の搭乗案内装置と、
近距離通信を行う機能を有し、前記近距離通信で前記搭乗案内装置を経由して前記セントラルサーバに前記搭乗案内の要求を行い、配信された前記最新の搭乗案内を表示する携帯通信端末とを備えることを特徴とする交通情報配信システム。
【請求項２】
前記搭乗案内装置は交通機関の搭乗手続を受けた人だけが滞在するエリア内外を識別する情報を有し、前記セントラルサーバは交通機関の利用便名の出発時刻、さらに、利用便名を送信した前記搭乗案内装置の配置エリアの識別に応じた搭乗案内のメッセージを保持し、搭乗手続の所要時間を監視し、前記携帯通信端末は前記搭乗案内装置を経由して前記セントラルサーバに交通機関の利用便名の送信を行い、前記最新の搭乗案内と共に出発時刻に応じ、且つ、送信を行った前記搭乗案内装置の配置エリアに応じた搭乗案内のメッセージを、前記搭乗案内装置を経由して、配信され、表示することを特徴とする、請求項１に記載の交通情報配信システム。
【請求項３】
前記セントラルサーバは、交通機関の利用便名を送信した前記搭乗案内装置が搭乗手続を受けた人だけが滞在するエリア外に配置され、利用便名の交通機関の搭乗手続まで余裕がある場合に対して「搭乗手続まで○○分の余裕があります。他のエリアに移動しないで下さい。」とのメッセージを保持し、交通機関の利用便名を送信した前記搭乗案内装置が搭乗手続を受けた人だけが滞在するエリア外に配置され、利用便名の交通機関の搭乗手続まで余裕がない場合に対して「××分後に搭乗手続をして下さい。」とのメッセージを保持し、利用便名を送信した前記搭乗案内装置が搭乗手続を受けた人だけが滞在するエリア内に配置され、利用便名の交通機関の搭乗手続まで余裕がある場合に対して「搭乗まで○○分の余裕があります。他のエリアに移動しないで下さい。」とのメッセージを保持し、利用便名を送信した前記搭乗案内装置が搭乗手続を受けた人だけが滞在するエリア内に配置され、利用便名の交通機関の搭乗手続まで余裕がない場合に対して「××分後に搭乗をして下さい。」とのメッセージを保持し、この場合、利用便名を送信した前記搭乗案内装置が搭乗手続を受けた人だけが滞在するエリア外に対するメッセージの時間部分には監視した搭乗手続の所要時間を考慮して設定することを特徴とする、請求項２に記載の交通情報配信システム。
【請求項４】
前記携帯通信端末が前記セントラルサーバにアクセスし前記携帯通信端末のＥメールアドレスを送信した場合には、前記セントラルサーバは携帯通信端末に交通機関の最新の搭乗案内を送信することを特徴とする、請求項１に記載の交通情報配信システム。
【請求項５】
前記携帯通信端末が前記セントラルサーバにアクセスし前記携帯通信端末のＥメールアドレス、交通機関の利用便名を送信した場合には、前記セントラルサーバは携帯通信端末に交通機関の最新の搭乗案内と共に利用便名の出発時刻に応じ、さらに、交通機関の利用便名の搭乗手続をしていないとして、搭乗案内のメッセージの配信を行うことを特徴とする、請求項２に記載の交通情報配信システム。
【請求項６】
前記携帯通信端末は交通機関の出発時刻を入力し前記搭乗案内装置に対して一定時間間隔で前記搭乗案内の要求を前記出発時刻まで繰り返し行うことを特徴とする、請求項１に記載の交通情報配信システム。
【請求項７】
前記携帯通信端末は交通機関の出発時刻を入力し前記搭乗案内装置に対して一定時間間隔で前記利用便名の送信を前記出発時刻まで繰り返し行うことを特徴とする、請求項２に記載の交通情報配信システム。
【請求項８】
前記携帯通信端末は交通機関の出発時刻を入力し前記セントラルサーバに対して一定時間間隔で前記携帯通信端末のＥメールアドレスの送信を前記出発時刻まで繰り返し行うことを特徴とする、請求項４に記載の交通情報配信システム。
【請求項９】
前記携帯通信端末は交通機関の出発時刻を入力し前記セントラルサーバに対して一定時間間隔で前記携帯通信端末のＥメールアドレス、交通機関の利用便名の送信を前記出発時刻まで繰り返し行うことを特徴とする、請求項５に記載の交通情報配信システム。
【請求項１０】
前記交通機関には航空機、バス、電車を含むことを特徴とする、請求項１に記載の交通情報配信システム。
【請求項１１】
交通機関の搭乗エリアで搭乗案内を提供する交通情報配信方法において、
交通機関の搭乗案内を保持し、保持した前記搭乗案内を更新する工程と、
交通機関の搭乗エリアの主要経路に複数配置された媒体に対して近距離通信で携帯通信端末から交通機関の搭乗案内を要求する工程と、
前記媒体への搭乗案内の要求に対して保持されている交通機関の搭乗案内から最新の搭乗案内を取り出し前記媒体から前記携帯通信端末に近距離通信で配信し表示させる工程とを備えることを特徴とする交通情報配信方法。
【請求項１２】
前記交通機関には航空機、バス、電車を含むことを特徴とする、請求項１１に記載の交通情報配信方法。
【請求項１３】
交通機関の搭乗エリアで搭乗案内を提供する交通情報配信をコンピュータで実行するプログラムにおいて、
交通機関の搭乗案内を保持し、保持した前記搭乗案内の更新を実行する手順と、
交通機関の搭乗エリアの主要経路に複数配置された媒体に対して近距離通信で携帯通信端末から交通機関の搭乗案内の要求を実行する手順と、
前記媒体への搭乗案内の要求に対して保持されている交通機関の搭乗案内から最新の搭乗案内を取り出し前記媒体から前記携帯通信端末に近距離通信で配信し配信された搭乗案内の表示を実行する手順とを備えることを特徴とする交通情報配信方法。
【請求項１４】
前記交通機関には航空機、バス、電車を含むことを特徴とする、請求項１３に記載の交通情報配信をコンピュータで実行するプログラム。
【請求項１５】
交通機関の搭乗エリアで交通情報配信を受ける携帯通信端末において、
操作部から入力した交通機関の搭乗案内の要求、出発時刻を保持するメモリと、
近距離通信で交通機関の搭乗エリアの主要経路に複数配置された搭乗案内装置を経由してセントラルサーバに接続されるＲＦＩＤと、
前記メモリから取り出した前記搭乗案内の要求を、前記搭乗案内装置を経由して、前記セントラルサーバに繰り返し送信し、前記セントラルサーバから前記搭乗案内装置を経由して最新の搭乗案内を繰り返し配信させる搭乗案内要求制御部と、
前記搭乗案内要求制御部が繰り返し配信させた前記最新の搭乗案内を順次表示する表示部とを備えることを特徴とする携帯通信端末。
【請求項１６】
前記交通機関には航空機、バス、電車を含むことを特徴とする、請求項１５に記載の携帯通信端末。
【請求項１７】
交通機関の搭乗エリアで搭乗案内を提供する交通情報配信サーバにおいて、
交通機関の搭乗エリアの主要経路に配置され、携帯通信端末と近距離通信を行う機能を有し、前記携帯通信端末からの搭乗案内の要求に対して最新の搭乗案内を前記携帯通信端末に配信する複数の搭乗案内装置と、
交通機関の搭乗案内を保持し、保持した前記搭乗案内を更新し、前記搭乗案内装置に接続され、前記搭乗案内装置が前記携帯通信端末から搭乗案内の要求を受け、前記搭乗案内装置から搭乗案内の要求の知らせを受けると、最新の搭乗案内を前記搭乗案内装置に送信するセントラルサーバとを備えることを特徴とする交通情報配信サーバ。
【請求項１８】
前記交通機関には航空機、バス、電車を含むことを特徴とする、請求項１７に記載の携帯通信端末。
【発明の詳細な説明】
【技術分野】
【０００１】
本発明は交通情報配信システムに関する。特に、本発明は、交通機関の施設に備えられているテレビモニター、音声アナウンスに対して利用者が搭乗案内を絶えず確認するという煩わしさを解消する交通情報配信システム、方法、プログラム、携帯通信端末及びサーバに関する。
【背景技術】
【０００２】
従来、航空機にこれから搭乗して航空機を利用する利用者は、ボーディング情報（搭乗案内）、例えば、行先、出発時刻、利用便名、航空会社名等を空港内の施設に備え付けられたテレビモニター、音声アナウンスにより確認していた。しかし、利用者にとっては情報を絶えず確認する必要があり、待ち時間を有効に使うことは困難であるという問題があった。すなわち、利用者がボーディング情報の確認を怠った場合は、航空会社が当該利用者を探すこととなり、出発の遅れ、探索の手間が発生していたという問題があった。電車、バス等の交通機関についても同様の問題がある。
【０００３】
このような問題に対して以下の従来技術がある。
従来、定刻になっても搭乗ゲートに現れないような旅客の捜索を支援する空港内旅客捜索装置を提供するため、空港内旅客捜索装置は、空港内の各ゾーンごとに配置され、搭乗券を所持した旅客がゾーンを移動する度ごとに、搭乗券に付された無線タグから発信される無線タグ信号を感知し、それに含まれる無線タグＩＤをゾーンに付されたゾーンＩＤおよび感知時刻情報と共に送信する複数の無線感知装置と、各無線感知装置から送信された無線タグＩＤ、ゾーンＩＤおよび感知時刻情報を受信し、それらの受信情報を蓄積するデータベースを有する旅客管理装置と、捜索対象の旅客が所持している搭乗券に付された無線タグの無線タグＩＤを検索キーとしてデータベースを検索し、捜索対象の旅客が空港内で最終的に立寄ったゾーンを時刻情報と共に表示する旅客捜索端末とを備えるものがある（例えば、特許文献１参照）。
【０００４】
しかしながら、上記特許文献１では、定刻になっても搭乗ゲートに現れないような旅客の捜索を支援するが、空港内の施設に備えられているテレビモニター、音声アナウンスに対して利用者が搭乗案内を絶えず確認するという煩わしさをなくすものではない。
また、従来、運輸手段に乗車する乗客の位置を監視し、それら乗客の中から未乗車客の位置を検知し、乗車を催促する乗客位置検知システムを提供するため、乗客位置検知システムは、乗客が所持するチケットと共に所持され、識別情報を放出する無線ＩＤタグと、乗客が目的運輸手段に乗車する際に通過するものであって、チケットの読取情報又は無線ＩＤタグの識別情報により乗客の通過を検知する乗車ゲート手段と、乗車ゲート手段に至るまでの自己に割当てられた管轄領域内に位置する上記無線ＩＤタグの識別情報を受信する複数の無線タグリーダーと、乗車ゲート手段からのゲート通過情報に基づいて、未通過乗客の事実を認識し、未通過乗客の位置探索時に、未通過乗客の位置を、各無線タグリーダーの受信情報に基づいて特定する統括監視装置とを備えるものもある（特許文献２参照）。
【０００５】
しかしながら、上記特許文献２では、運輸手段に乗車する乗客の位置を監視し、それら乗客の中から未乗車客の位置を検知し、乗車を催促するが、前述と同様に空港内の施設に備えられているテレビモニター、音声アナウンスに対して利用者が搭乗案内を絶えず確認するという煩わしさをなくすものではない。
また、従来、携帯電話等のモバイル機器を活用することで航空機の予約・搭乗のための手続きを簡素化し、予約から搭乗に至る一連の流れの効率化をはかるため、モバイル機器を従来のチケット代わりに使用することで、予約、搭乗手続きの簡素化をはかり、このために、モバイル機器には公衆網による無線通信と空港内における短距離無線通信を行なうためのインタフェースの両方を持たせ、チケット予約から搭乗に至る一連の手続きをそれぞれのインタフェースを介した通信により行ない、また、携帯電話等モバイル機器の短距離無線通信機能を活用して利用者の空港内の移動を管理し、この情報を活用して利用者の誘導も実現するものもある（特許文献３参照）。
【０００６】
しかしながら、上記特許文献３では、携帯電話等モバイル機器の短距離無線通信機能を活用して利用者の空港内の移動を管理し、この情報を活用して利用者の誘導も実現するものもあるが、前述と同様に空港内の施設に備えられているテレビモニター、音声アナウンスに対して利用者が搭乗案内を絶えず確認するという煩わしさをなくすものではない。
また、従来、膨大な数の地下施設または地上施設に関連するデータを必要なときに受信することができる移動式の中継システムを設けることにより、膨大な施設関連情報を現場で簡単、かつ確実に得ることができる施設情報管理システムを提供するため、地下施設に関連する固有データ（ＩＤ番号、位置情報、施工日または修理年月日等）をポータブルハンディ装置で読み取った後、情報杭から離れた位置にある移動式のサテライト装置に固有情報を送信し、このサテライト装置がこの固有情報に関連するデータ（地下施設の施工時点または施工修理時点の写真、三次元表示データ、地上関連データ、関連地図データ、特記事項、関連年月日等）をホストコンピュータから受信して表示装置に表示するものもある（特許文献４参照）。
【０００７】
しかしながら、上記特許文献４では、データを必要なときに受信することができる移動式の中継システムを設けるが、前述と同様に空港内の施設に備えられているテレビモニター、音声アナウンスに対して利用者が搭乗案内を絶えず確認するという煩わしさをなくすものではない。
また、従来、航空機に搭乗するのは，電車やバスなどの交通機関と違って，実際に搭乗するまでに手荷物検査，搭乗ゲート通過等の手続が必要で，搭乗予定者は，航空機の出発時刻より所定の時間前に，以上の手続を行わなければ航空機に搭乗できず、それゆえ、航空機をあまり利用しない人，高齢者にとっては航空機の出発時刻に合わせて行動することは難しいといえるため、電話番号記憶手段と，航空機抽出手段と，電話番号抽出手段と，メッセージ送信手段とを具備した航空会社サーバと，該航空会社サーバより送信されるメッセージを受信する携帯電話とで構成される搭乗予定者管理システムもある（特許文献５参照）。
【０００８】
しかしながら、上記特許文献５では、航空会社サーバより送信されるメッセージを携帯電話で受信する搭乗予定者管理システムを提供するものであるが、前述と同様に空港内の施設に備えられているテレビモニター、音声アナウンスに対して利用者が搭乗案内を絶えず確認するという煩わしさをなくすものではない。
【０００９】
【特許文献１】特開２００２−１８３２６１号公報
【特許文献２】特開２００３−２１５３３号公報
【特許文献３】特開２００３−１５０６８２号公報
【特許文献４】特開２００１−１８４４１７号公報
【特許文献５】特開２００４−４６２８５号公報
【発明の開示】
【発明が解決しようとする課題】
【００１０】
したがって、本発明は上記問題点に鑑みて、空港内の施設に備えられているテレビモニター、音声アナウンスに対して利用者が搭乗案内を絶えず確認する煩わしさを解消可能にする交通情報配信システム、方法、プログラム、携帯通信端末及びサーバを提供することを目的とする。
【課題を解決するための手段】
【００１１】
本発明は前記問題点を解決するために、交通機関の搭乗エリアで搭乗案内を提供する交通情報配信システムにおいて、交通機関の搭乗案内を保持し、保持した前記搭乗案内を更新し更新した搭乗案内を配信するセントラルサーバと、交通機関の搭乗エリアの主要経路に配置され、近距離通信の機能を有し、前記セントラルサーバに接続され、交通機関の最新の搭乗案内の配信の媒体となる複数の搭乗案内装置と、近距離通信を行う機能を有し、前記近距離通信で前記搭乗案内装置を経由して前記セントラルサーバに前記搭乗案内の要求を行い、配信された前記最新の搭乗案内を表示する携帯通信端末とを備えることを特徴とする交通情報配信システムを提供する。
【００１２】
さらに、前記搭乗案内装置は交通機関の搭乗手続を受けた人だけが滞在するエリア内外を識別する情報を有し、前記セントラルサーバは交通機関の利用便名の出発時刻、さらに、利用便名を送信した前記搭乗案内装置の配置エリアの識別に応じた搭乗案内のメッセージを保持し、搭乗手続の所要時間を監視し、前記携帯通信端末は前記搭乗案内装置を経由して前記セントラルサーバに交通機関の利用便名の送信を行い、前記最新の搭乗案内と共に出発時刻に応じ、且つ、送信を行った前記搭乗案内装置の配置エリアに応じた搭乗案内のメッセージを、前記搭乗案内装置を経由して、配信され、表示する。
【００１３】
前記セントラルサーバは、交通機関の利用便名を送信した前記搭乗案内装置が搭乗手続を受けた人だけが滞在するエリア外に配置され、利用便名の交通機関の搭乗手続まで余裕がある場合に対して「搭乗手続まで○○分の余裕があります。他のエリアに移動しないで下さい。」とのメッセージを保持し、交通機関の利用便名を送信した前記搭乗案内装置が搭乗手続を受けた人だけが滞在するエリア外に配置され、利用便名の交通機関の搭乗手続まで余裕がない場合に対して「××分後に搭乗手続をして下さい。」とのメッセージを保持し、利用便名を送信した前記搭乗案内装置が搭乗手続を受けた人だけが滞在するエリア内に配置され、利用便名の交通機関の搭乗手続まで余裕がある場合に対して「搭乗まで○○分の余裕があります。他のエリアに移動しないで下さい。」とのメッセージを保持し、利用便名を送信した前記搭乗案内装置が搭乗手続を受けた人だけが滞在するエリア内に配置され、利用便名の交通機関の搭乗手続まで余裕がない場合に対して「××分後に搭乗をして下さい。」とのメッセージを保持し、この場合、利用便名を送信した前記搭乗案内装置が搭乗手続を受けた人だけが滞在するエリア外に対するメッセージの時間部分には監視した搭乗手続の所要時間を考慮して設定する。
【００１４】
さらに、前記携帯通信端末が前記セントラルサーバにアクセスし前記携帯通信端末のＥメールアドレスを送信した場合には、前記セントラルサーバは携帯通信端末に交通機関の最新の搭乗案内を送信する。
さらに、前記携帯通信端末が前記セントラルサーバにアクセスし前記携帯通信端末のＥメールアドレス、交通機関の利用便名を送信した場合には、前記セントラルサーバは携帯通信端末に交通機関の最新の搭乗案内と共に利用便名の出発時刻に応じ、さらに、交通機関の利用便名の搭乗手続をしていないとして、搭乗案内のメッセージの配信を行う。
【００１５】
さらに、前記携帯通信端末は交通機関の出発時刻を入力し前記搭乗案内装置に対して一定時間間隔で前記搭乗案内の要求を前記出発時刻まで繰り返し行う。
さらに、前記携帯通信端末は交通機関の出発時刻を入力し前記搭乗案内装置に対して一定時間間隔で前記利用便名の送信を前記出発時刻まで繰り返し行う。
さらに、前記携帯通信端末は交通機関の出発時刻を入力し前記セントラルサーバに対して一定時間間隔で前記携帯通信端末のＥメールアドレスの送信を前記出発時刻まで繰り返し行う。
【００１６】
さらに、前記携帯通信端末は交通機関の出発時刻を入力し前記セントラルサーバに対して一定時間間隔で前記携帯通信端末のＥメールアドレス、交通機関の利用便名の送信を前記出発時刻まで繰り返し行う。
さらに、交通機関の搭乗エリアで搭乗案内を提供する交通情報配信方法において、交通機関の搭乗案内を保持し、保持した前記搭乗案内を更新する工程と、交通機関の搭乗エリアの主要経路に複数配置された媒体に対して近距離通信で携帯通信端末から交通機関の搭乗案内を要求する工程と、前記媒体への搭乗案内の要求に対して保持されている交通機関の搭乗案内から最新の搭乗案内を取り出し前記媒体から前記携帯通信端末に近距離通信で配信し表示させる工程とを備えることを特徴とする交通情報配信方法を提供する。
【００１７】
さらに、交通機関の搭乗エリアで搭乗案内を提供する交通情報配信をコンピュータで実行するプログラムにおいて、交通機関の搭乗案内を保持し、保持した前記搭乗案内の更新を実行する手順と、交通機関の搭乗エリアの主要経路に複数配置された媒体に対して近距離通信で携帯通信端末から交通機関の搭乗案内の要求を実行する手順と、前記媒体への搭乗案内の要求に対して保持されている交通機関の搭乗案内から最新の搭乗案内を取り出し前記媒体から前記携帯通信端末に近距離通信で配信し配信された搭乗案内の表示を実行する手順とを備えることを特徴とする交通情報配信方法を提供する。
【００１８】
さらに、交通機関の搭乗エリアで交通情報配信を受ける携帯通信端末において、操作部から入力した交通機関の搭乗案内の要求、出発時刻を保持するメモリと、近距離通信で交通機関の搭乗エリアの主要経路に複数配置された搭乗案内装置を経由してセントラルサーバに接続されるＲＦＩＤと、前記メモリから取り出した前記搭乗案内の要求を、前記搭乗案内装置を経由して、前記セントラルサーバに繰り返し送信し、前記セントラルサーバから前記搭乗案内装置を経由して最新の搭乗案内を繰り返し配信させる搭乗案内要求制御部と、前記搭乗案内要求制御部が繰り返し配信させた前記最新の搭乗案内を順次表示する表示部とを備えることを特徴とする携帯通信端末を提供する。
【００１９】
さらに、交通機関の搭乗エリアで搭乗案内を提供する交通情報配信サーバにおいて、交通機関の搭乗エリアの主要経路に配置され、携帯通信端末と近距離通信を行う機能を有し、前記携帯通信端末からの搭乗案内の要求に対して最新の搭乗案内を前記携帯通信端末に配信する複数の搭乗案内装置と、交通機関の搭乗案内を保持し、保持した前記搭乗案内を更新し、前記搭乗案内装置に接続され、前記搭乗案内装置が前記携帯通信端末から搭乗案内の要求を受け、前記搭乗案内装置から搭乗案内の要求の知らせを受けると、最新の搭乗案内を前記搭乗案内装置に送信するセントラルサーバとを備えることを特徴とする交通情報配信サーバを提供する。
好ましくは、前記交通機関には航空機、バス、電車を含む。
【発明の効果】
【００２０】
以上説明したように、本発明によれば、交通機関の搭乗案内を保持し、保持した搭乗案内を更新し、交通機関の搭乗エリアの主要経路に複数配置された媒体に対して近距離通信で携帯通信端末から交通機関の搭乗案内を要求し、媒体への搭乗案内の要求に対して保持されている交通機関の搭乗案内から最新の搭乗案内を取り出し媒体から携帯通信端末に近距離通信で配信し表示させるようにしたので、交通機関の施設に備えられているテレビモニター、音声アナウンスに対して利用者が搭乗案内を絶えず確認する煩わしさを解消することが可能になった。
【００２１】
さらに、最新の搭乗案内と共に出発時刻に応じ、且つ、送信を行った搭乗案内装置の配置エリアに応じた搭乗案内のメッセージを携帯通信端末に配信し、表示するようにしたので、利用者が搭乗案内の確認の煩わしさをさらに解消したので、搭乗案内の確認を怠るということはなくなり、交通機関が当該利用者を探すことによる出発の遅れ、探索の手間の発生を防止することが可能になる。
【発明を実施するための最良の形態】
【００２２】
以下、本発明の実施の形態について図面を参照して説明する。
図１は本発明に係る交通情報配信システムの概略構成を示すブロック図である。本図に示すように、交通情報配信システムは携帯通信端末１００、複数の搭乗案内装置２００、セントラルサーバ３００、通信ネットワーク４００から主に構成され、プログラム制御により動作する。一例として、交通機関として航空機を用いて、携帯通信端末１００に対し、空港内で搭乗案内、メッセージ等の交通情報を配信する交通情報配信システムについて説明を行う。
【００２３】
複数の搭乗案内装置２００は航空機の搭乗エリアである空港内の主要経路に設けられ、交通情報を配信する媒体であり、特に、航空機の搭乗券のチェック、手荷物検査等のセキュリティチェック、海外旅行者であれば出国審査等の搭乗手続を受けた人が利用し滞在する搭乗待合室（出発ロビー）又は搭乗待合室以外で航空機に搭乗しない一般の人も利用でき、滞在できるレストラン、ショッピングの搭乗エリアの主要経路に配置される。
【００２４】
ここで、携帯通信端末１００は、携帯電話機、ＰＤＡ（携帯情報端末）、ＰＨＳ（簡易携帯電話機）などの通信機能を備えた携帯型の情報処理装置であり、さらに、ＲＦＩＤ（無線個体認識）機能を有し、通信ネットワーク４００に接続される。
搭乗案内装置２００は携帯通信端末１００と近距離通信を行うＲＦＩＤリーダを有する情報通信処理装置により構成され、通信ネットワーク４００に接続可能であり、携帯通信端末１００からセントラルサーバ３００への搭乗案内の要求に対してセントラルサーバ３００から携帯通信端末１００に航空機の搭乗案内の配信を行う媒体である。
【００２５】
セントラルサーバ３００はワークステーション・サーバ等の情報処理装置であって通信ネットワーク４００に接続されており、航空機の搭乗案内を監視し、搭乗案内装置２００を介して携帯通信端末１００に搭乗案内、メッセージ等の交通情報を配信する。
通信ネットワーク４００はインターネットを含むネットワークである。
図２は図１における携帯通信端末１００の概略構成を示すブロック図である。本図に示すように、携帯通信端末１００はＲＦＩＤ付きであり、無線部１０１、表示部１０２、操作部１０３、ＲＦＩＤ１０４、送受話部１０５、マイクロフォン１０６、スピーカ１０７、１０８、メモリ１０９、制御部１１０を有し、これらはバス１１１を介して相互に接続される。
【００２６】
ここで、無線部１０１はアンテナを介して図示しない無線基地局との間で無線信号を送受信する。
表示部１０２は文字、画像の表示出力を行う。
操作部１０３は情報操作入力を行うテンキー、スクロールキーなどで構成される。
ＲＦＩＤ１０４はアンテナコイル、メモリなどで構成され、近距離通信を行う無線ＩＣタグであり、所定空間（距離）内にあるリーダ（リーダ／ライタ）による情報の取得（取得及び記録）を可能とする。
【００２７】
送受話部１０５は音声信号処理を行い、マイクロフォン１０６は送受話部１０５への音声信号の出力を行い、スピーカ１０７は送受話部１０５からの音声信号を入力する。
スピーカ１０８は楽音、放置音などを出力する。
メモリ１０９は電話帳情報、送受信メール情報、発着呼情報、携帯通信端末の各種設定、コンテンツ、プログラム情報などを格納し、特に、後述する搭乗案内の要求、利用便名、航空機の出発時刻を保持する。
【００２８】
制御部１１０は電話（通話）、メール送受信、ｗｅｂ接続（インターネット接続）、携帯通信端末各部の制御を行う。
さらに、制御部１１０には搭乗案内要求制御部１１０Ａ、利用便名送信制御部１１０Ｂ、電子メールアドレス送信制御部１１０Ｃが設けられる。
ここで、搭乗案内要求制御部１１０Ａは搭乗案内装置２００に対する搭乗案内要求の制御を行う。
【００２９】
利用便名送信制御部１１０Ｂは搭乗案内装置２００に対する利用便名の送信を制御する。
電子メールアドレス送信制御部１１０Ｃはセントラルサーバ３００に対するＥメールアドレスの送信を制御する。
図３は図１における搭乗案内装置２００の概略構成を示すブロック図である。本図に示すように、搭乗案内装置２００はＲＦＩＤ２０１、ＮＷ通信部２０２、制御部２０３を有しこれらは相互に接続される。
【００３０】
ここで、ＲＦＩＤ２０１はアンテナコイル、メモリなどで構成され、近距離通信を行う無線ＩＣタグであり、所定空間（距離）にある携帯通信端末１００の有するＲＦＩＤ１０４より情報を取得するＲＦＩＤリーダである。なお、ＲＦＩＤ２０１はＲＦＩＤリーダ／ライタであってもよい。
ＮＷ通信部２０２は通信ネットワーク４００を介する情報送受信を行う通信インタフェース（Ｉ／Ｆ）である。
【００３１】
制御部２０３はＲＦＩＤ２０１の情報取得、ＮＷ通信部２０２を介する情報送受信、その他、装置各部の制御を行う。
さらに、制御部２０３には搭乗待合室内外識別情報保存部２０３Ａが設けられ、搭乗待合室内外識別情報保存部２０３Ａは搭乗案内装置２００自体の配置エリアを識別する情報を保存する、すなわち、航空機の搭乗券のチェック、手荷物検査等のセキュリティチェック、海外旅行者であれば出国審査等の搭乗手続を受けた人が利用する搭乗待合室（出発ロビー）のエリア又は搭乗待合室以外のエリアで航空機に搭乗しない一般の人も利用できるレストラン、ショッピングエリアを識別する情報を保存する。
【００３２】
図４は図１におけるセントラルサーバ３００の概略構成を示すブロック図である。本図に示すように、セントラルサーバ３００は搭乗情報データベース（ＤＢ）３０１、ＮＷ通信部３０２、制御部３０３を有し、これらは相互に接続される。
ここで、搭乗案内データベース３０１には搭乗案内保持部３０１Ａ、搭乗案内メッセージ保持部３０１Ｂが設けられる。
【００３３】
なお、搭乗案内保持部３０１Ａは、空港内の施設に備え付けられたテレビモニター、音声アナウンスされる搭乗案内と同様の搭乗案内を保持する。
搭乗案内メッセージ保持部３０１Ｂは、搭乗待合室内外に応じ、さらに、利用便に対し搭乗開始までの時間に応じて搭乗案内のメッセージを保持する。制御部３０３では空港内の搭乗手続の所要時間を監視し搭乗案内メッセージ保持部３０１Ｂから取り出すメッセージに搭乗手続の所要時間を考慮する。
【００３４】
さらに、ＮＷ通信部３０２は通信ネットワーク４００を介する情報送受信を行う通信インタフェース（Ｉ／Ｆ）である。
さらに、制御部３０３は搭乗情報データベース３０１への搭乗情報格納、ＮＷ通信部３０２から所定の携帯通信端末１００への搭乗情報の送信の制御、セントラルサーバ３００の各部の制御を行う。
【００３５】
なお、制御部３０３には搭乗案内更新部３０３Ａが設けられ、搭乗案内更新部３０３Ａは、航空機の出発毎に搭乗案内保持部３０１Ａに保持されている搭乗案内の更新を行う。
図５は図４におけるセントラルサーバ３００における搭乗情報データベース３０１の搭乗案内保持部３０１Ａに保持される搭乗案内を説明する図である。本図に示すように、セントラルサーバ３００における搭乗情報データベース３０１の搭乗案内保持部３０１Ａには、空港内の施設に備え付けられたテレビモニター、音声アナウンスされる搭乗案内と同様の搭乗案内として、行先、出発時刻、利用便名、航空機会社名等が保持される。
【００３６】
図６は図４におけるセントラルサーバ３００における搭乗情報データベース３０１の搭乗案内メッセージ保持部３０１Ｂに保持される搭乗案内メッセージを説明する図である。本図に示すように、航空機の搭乗券のチェック、手荷物検査等のセキュリティチェック、海外旅行者であれば出国審査等の搭乗手続を受けた人が利用する搭乗待合室（出発ロビー）にいる場合に対して、例えば、送信メッセージ例として、
「搭乗まで３０分の余裕があります。他のエリアに移動しないで下さい。」
【００３７】
「５分後に搭乗して下さい。」が保持される。
さらに、搭乗案内メッセージ保持部３０１Ｂには航空機に搭乗しない一般の人も利用できるレストラン、ショッピングエリアで搭乗待合室以外の配置エリアにいる場合に対して、例えば、送信メッセージ例として、
「搭乗手続まで３０分の余裕があります。他のエリアに移動しないで下さい。」
【００３８】
「５分後に搭乗手続をして下さい。」が保持される。
以上の説明で、「３０分」は例示であり、セントラルサーバ３００が利用便名を受信した時刻により異なり、「５分」も例示であり、任意に設定可能である。
図７は図１における交通情報配信システムの一連の第１の動作例を説明するフローチャート図である。本図に示すように、ステップ５０１において、携帯通信端末１００の制御部１１０の搭乗案内要求制御部１１０Ａでは、利用者の操作部１０３の操作により、搭乗案内装置２００に対して、携帯通信端末１００のＲＦＩＤ１０４から搭乗案内を要求する。
【００３９】
ステップ５０２において、搭乗案内装置２００ではＲＦＩＤ２０１を経由して携帯通信端末１００から搭乗案内の要求を受信すると、ＮＷ通信部２０２を経由してセントラルサーバ３００に搭乗案内の要求を送信し知らせる。
ステップ５０３において、セントラルサーバ３００では、搭乗案内装置２００からＮＷ通信部３０２を経由して搭乗案内の要求の知らせを受信すると、搭乗案内メッセージ保持部３０１Ｂから搭乗案内更新部３０３Ａで更新した最新の搭乗案内を取り出し、ＮＷ通信部３０２を経由して、該当する搭乗案内装置２００に送信する。
【００４０】
ステップ５０４において、搭乗案内装置２００では、セントラルサーバ３００からＮＷ通信部２０２を経由して、搭乗案内を受信すると、ＲＦＩＤ２０１を経由して、要求のあった携帯通信端末１００に送信する。
ステップ５０５において、携帯通信端末１００では、搭乗案内装置２００からＲＦＩＤ１０４を経由して、搭乗案内を受信すると、表示部１０２に表示する。
【００４１】
このようにして、搭乗案内を確認したいときに搭乗案内の要求を行うことより、利用者は空港内の施設に備えられているテレビモニター、音声アナウンスから取得できる搭乗案内と同様の行先、出発時刻、利用便名、航空会社名等の搭乗案内を携帯通信端末１００に配信し、利用者は待ち時間を有効に使うことが可能になる。
この場合、利用者は航空機の搭乗する人だけでなく、見送りにきた人にも搭乗案内の配信を確認することが可能である。
【００４２】
図８は図１における交通情報配信システムの一連の第２の動作例を説明するフローチャート図である。本図に示すように、ステップ５１１において、携帯通信端末１００の制御部１１０の搭乗案内要求制御部１１０Ａでは、利用者の操作部１０３の操作により、搭乗案内装置２００に対して、携帯通信端末１００のＲＦＩＤ１０４から航空機の利用便名を送信する。
【００４３】
ステップ５１２において、搭乗案内装置２００ではＲＦＩＤ２０１を経由して携帯通信端末１００から航空機の利用便名を受信すると、ＮＷ通信部２０２を経由してセントラルサーバ３００に受信した利用便名を知らせる。この場合、利用便名と共に、搭乗案内装置２００から搭乗待合室内外識別情報保存部２０３Ａに保持されている搭乗待合室内外識別情報を送信する。
【００４４】
ステップ５１３において、セントラルサーバ３００では、搭乗案内装置２００からＮＷ通信部３０２を経由して利用便名の知らせを受信すると、搭乗案内メッセージ保持部３０１Ｂから搭乗案内更新部３０３Ａで更新した最新の搭乗案内を取り出する。さらに、利用便名から出発時刻、搭乗手続の所要時間、搭乗待合室内外識別情報に応じたメッセージを搭乗案内メッセージ保持部３０１Ｂから取り出す。
【００４５】
最新の搭乗案内、メッセージを、ＮＷ通信部３０２を経由して、該当する搭乗案内装置２００に送信する。
ステップ５１４において、搭乗案内装置２００では、セントラルサーバ３００からＮＷ通信部２０２を経由して、搭乗案内、メッセージを受信すると、ＲＦＩＤ２０１を経由して、該当する携帯通信端末１００に送信する。
【００４６】
ステップ５１５において、携帯通信端末１００では、搭乗案内装置２００からＲＦＩＤ１０４を経由して、搭乗案内、メッセージを受信すると、表示部１０２に表示する。
このようにして、搭乗案内を確認したいときに利用便名の送信を行うことより、利用者は空港内の施設に備えられているテレビモニター、音声アナウンスから取得できる搭乗案内と同様の行先、出発時刻、利用便名、航空会社名等の搭乗案内を携帯通信端末１００に配信し、利用者は待ち時間を有効に使うことが可能になる。出発時刻、搭乗手続の所要時間、搭乗待合室内外識別情報に応じたメッセージを得るので、利用者は待ち時間をより有効に使うことが可能になる。さらに、搭乗案内の確認を怠るということはなくなり、交通機関が当該利用者を探すことによる出発の遅れ、探索の手間の発生を防止することが可能になる。
【００４７】
図９は図１における交通情報配信システムの一連の第３の動作例を説明するフローチャート図である。本図に示すように、ステップ５２１において、携帯通信端末１００の制御部１１０の電子メールアドレス送信制御部１１０Ｃでは、利用者の操作部１０３の操作により、セントラルサーバ３００に対して、無線部１０１から通信ネットワーク４００を経由して、Ｅメールアドレスを送信する。
【００４８】
ステップ５２２において、セントラルサーバ３００では、携帯通信端末１００から通信ネットワーク４００を経由してＮＷ通信部３０２にＥメールアドレスを受信すると、搭乗案内メッセージ保持部３０１Ｂから搭乗案内更新部３０３Ａで更新した最新の搭乗案内を取り出す。取り出した搭乗案内をＮＷ通信部３０２から通信ネットワーク４００を経由して携帯通信端末１００に送信する。
【００４９】
ステップ５２３において、携帯通信端末１００ではセントラルサーバ３００から通信ネットワーク４００を経由して、無線部１０１に搭乗案内を受信すると、表示部１０２に表示する。
このようにして、搭乗案内装置２００を使用できる配置エリアにいない場合には、セントラルサーバ３００にアクセスして、搭乗案内を確認したいときにＥメールアドレスを送信することより、利用者は空港内の施設に備えられているテレビモニター、音声アナウンスから取得できる搭乗案内と同様の行先、出発時刻、利用便名、航空会社名等の搭乗案内を携帯通信端末１００に配信し、利用者は待ち時間を有効に使うことが可能になる。
【００５０】
図１０は図１における交通情報配信システムの一連の第４の動作例を説明するフローチャート図である。本図に示すように、ステップ５３１において、携帯通信端末１００の制御部１１０の電子メールアドレス送信制御部１１０Ｃでは、利用者の操作部１０３の操作により、セントラルサーバ３００に対して、無線部１０１から通信ネットワーク４００を経由して、Ｅメールアドレス、航空機の利用便名を送信する。
【００５１】
ステップ５３２において、セントラルサーバ３００では、携帯通信端末１００から通信ネットワーク４００を経由してＮＷ通信部３０２にＥメールアドレス、航空機の利用便名を受信すると、搭乗案内メッセージ保持部３０１Ｂから搭乗案内更新部３０３Ａで更新した最新の搭乗案内を取り出す。さらに、利用便名から出発時刻、搭乗手続の所要時間、搭乗待合室外識別情報に応じたメッセージを搭乗案内メッセージ保持部３０１Ｂから取り出す。
【００５２】
最新の搭乗案内、メッセージを、ＮＷ通信部３０２から通信ネットワーク４００を経由して、携帯通信端末１００に送信する。
ステップ５３３において、携帯通信端末１００ではセントラルサーバ３００から通信ネットワーク４００を経由して、無線部１０１に搭乗案内、メッセージを受信すると、表示部１０２に表示する。
【００５３】
このようにして、搭乗案内装置２００を使用できる配置エリアにいない場合には、セントラルサーバ３００にアクセスして、搭乗案内を確認したいときにＥメールアドレスを送信することより、利用者は空港内の施設に備えられているテレビモニター、音声アナウンスから取得できる搭乗案内と同様の行先、出発時刻、利用便名、航空会社名等の搭乗案内を携帯通信端末１００に配信し、利用者は待ち時間を有効に使うことが可能になる。さらに、出発時刻、搭乗手続の所要時間、搭乗待合室外識別情報に応じたメッセージを得るので、利用者は待ち時間をより有効に使うことが可能になる。
【００５４】
図１１はセントラルサーバ３００の制御部３０３が搭乗案内メッセージ保持部３０１Ｂから取り出す動作例を説明するフローチャート図である。本図に示すように、ステップ５４１において、セントラルサーバ３００の制御部３０３は、利用便名を受信した場合、空港内の搭乗待合室内の搭乗案内装置２００からの送信か否かを判断する。
ステップ５４２において、搭乗待合室外の搭乗案内装置２００からの送信である場合には出発時刻に対して搭乗手続の時間を考慮して搭乗手続に時間的な余裕があるか否かを判断する。
【００５５】
ステップ５４３において、搭乗手続に時間的に余裕がある場合には、搭乗案内メッセージ保持部３０１Ｂから、メッセージ例として、「搭乗手続まで３０分の余裕があります。他のエリアに移動しないで下さい。」を取り出し、処理を終了する。
ステップ５４４において、搭乗手続に時間的に余裕がない場合には、搭乗案内メッセージ保持部３０１Ｂから、メッセージ例として、「５分後に搭乗手続をして下さい。」を取り出し、処理を終了する。
【００５６】
ステップ５４５において、搭乗待合室内の搭乗案内装置２００からの送信である場合には、出発時刻に対して搭乗に時間的な余裕があるか否かを判断する。
ステップ５４６において、搭乗に時間的に余裕がある場合には、搭乗案内メッセージ保持部３０１Ｂから、メッセージ例として、「搭乗まで３０分の余裕があります。他のエリアに移動しないで下さい。」を取り出し、処理を終了する。
【００５７】
ステップ５４７において、搭乗に時間的に余裕がない場合には、搭乗案内メッセージ保持部３０１Ｂから、メッセージ例として、「５分後に搭乗をして下さい。」を取り出し、処理を終了する。
【実施例１】
【００５８】
図１２は図２における携帯通信端末１００の制御部１１０の搭乗案内要求制御部１１０Ａの動作の第１の変形例を説明するフローチャート図である。本図に示すように、ステップ５５１において、搭乗案内要求制御部１１０Ａでは、利用者の操作部１０３の操作により入力された搭乗案内の要求をメモリ１０９に保持し、搭乗案内を搭乗案内装置２００に対して、携帯通信端末１００のＲＦＩＤ１０４から搭乗案内を要求する。
【００５９】
ステップ５５２において、利用者が操作部１０３により入力された航空機の出発時刻をメモリ１０９に保持し、出発時刻を経過しているか否かを判断する。経過している場合には処理を終了する。
ステップ５５３において、航空機の出発時間を経過していない場合には搭乗案内を要求してから一定時間、例えば、５分経過を待った後にステップ５５１に戻る。すなわち、携帯通信端末１００のＲＦＩＤ１０４から利用者による搭乗案内の要求を始めてから航空機の出発時刻まで一定時間毎に搭乗案内装置２００に携帯通信端末１００のＲＦＩＤ１０４から搭乗案内を繰り返し要求する。
【００６０】
このようにして、自動的に最新の搭乗案内が得られ、携帯通信端末１００の表示部１０２に順次表示され、さらに、搭乗案内の確認が容易になる。
【実施例２】
【００６１】
図１３は図２における携帯通信端末１００の制御部１１０の利用便名送信制御部１１０Ｂの動作の第１の変形例を説明するフローチャート図である。本図に示すように、ステップ５６１において、利用便名送信制御部１１０Ｂでは、利用者の操作部１０３の操作により入力された航空機の利用便名をメモリ１０９に保持し、搭乗案内装置２００に対して、携帯通信端末１００のＲＦＩＤ１０４から航空機の利用便名を送信する。
【００６２】
ステップ５６２において、利用者が操作部１０３により入力された航空機の出発時刻をメモリ１０９に保持し、出発時刻を経過しているか否かを判断する。経過している場合には処理を終了する。
ステップ５６３において、航空機の出発時刻を経過していない場合には利用便名を送信してから一定時間、例えば、５分経過を待った後にステップ５６１に戻る。すなわち、携帯通信端末１００のＲＦＩＤ１０４から利用者による利用便名の送信を始めてから航空機の出発時刻まで一定時間毎に搭乗案内装置２００に携帯通信端末１００のＲＦＩＤ１０４から利用便名を繰り返し送信する。
【００６３】
このようにして、自動的に最新の搭乗案内が得られ、メッセージが更新され、携帯通信端末１００の表示部１０２に順次表示されるので、さらに、搭乗案内の確認が容易になる。
【実施例３】
【００６４】
図１４は図２における携帯通信端末１００の制御部１１０の電子メールアドレス送信制御部１１０Ｃの動作の第１の変形例を説明するフローチャート図である。本図に示すように、ステップ５７１において、セントラルサーバ３００にアクセスし、電子メールアドレス送信制御部１１０Ｃでは、利用者の操作部１０３の操作により、通信ネットワーク４００を経由して、携帯通信端末１００の無線部１０１からＥメールアドレスを送信する。
【００６５】
ステップ５７２において、利用者が操作部１０３により入力された航空機の出発時刻をメモリ１０９に保持し、出発時刻を経過しているか否かを判断する。経過している場合には処理を終了する。
ステップ５７３において、航空機の出発時刻を経過していない場合にはＥメールアドレスを送信してから一定時間、例えば、５分経過を待った後にステップ５７１に戻る。すなわち、携帯通信端末１００の無線部１０１から利用者のＥメールアドレスの送信を始めてから航空機の出発時刻まで一定時間毎にセントラルサーバ３００に携帯通信端末１００の無線部１０１からＥメールアドレスを繰り返し送信する。
このようにして、自動的に最新の搭乗案内が得られ、携帯通信端末１００の表示部１０２に順次表示され、さらに、搭乗案内の確認が容易になる。
【実施例４】
【００６６】
図１５は図２における携帯通信端末１００の制御部１１０の電子メールアドレス送信制御部１１０Ｃの動作の第２の変形例を説明するフローチャート図である。本図に示すように、ステップ５８１において、セントラルサーバ３００にアクセスし、電子メールアドレス送信制御部１１０Ｃでは、利用者の操作部１０３の操作により入力された航空機の利用便名をメモリ１０９に保持し、通信ネットワーク４００を経由して、携帯通信端末１００の無線部１０１からＥメールアドレス、利用便名を送信する。
【００６７】
ステップ５８２において、利用者が操作部１０３により入力された航空機の出発時刻をメモリ１０９に保持し、航空機の出発時刻を経過しているか否かを判断する。経過している場合には処理を終了する。
ステップ５８３において、航空機の出発時刻を経過していない場合にはＥメールアドレス、利用便名を送信してから一定時間、例えば、５分の経過を待った後にステップ５８１に戻る。すなわち、携帯通信端末１００の無線部１０１から利用者のＥメールアドレス、利用便名の送信を始めてから航空機の出発時刻まで一定時間毎にセントラルサーバ３００に携帯通信端末１００の無線部１０１からＥメールアドレス、利用便名を繰り返し送信する。
このようにして、自動的に最新の搭乗案内が得られ、メッセージが更新され、携帯通信端末１００の表示部１０２に順次表示されるので、さらに、搭乗案内の確認が容易になる。
【実施例５】
【００６８】
以上、航空機に搭乗する利用者、見送り人を配信の対象として説明したが、到着の航空機に対する迎える人を対象として到着案内の配信に本発明を利用することも可能である。
【産業上の利用可能性】
【００６９】
以上、空港での航空機の搭乗案内、メッセージに配信について説明したが、電車の駅、バスのターミナルでの乗車案内、メッセージの配信にも本発明の利用可能である。
【図面の簡単な説明】
【００７０】
【図１】本発明に係る交通情報配信システムの概略構成を示すブロック図である。
【図２】図１における携帯通信端末１００の概略構成を示すブロック図である。
【図３】図１における搭乗案内装置２００の概略構成を示すブロック図である。
【図４】図１におけるセントラルサーバ３００の概略構成を示すブロック図である。
【図５】図４におけるセントラルサーバ３００における搭乗情報データベース３０１の搭乗案内保持部３０１Ａに保持される搭乗案内を説明する図である。
【図６】図４におけるセントラルサーバ３００における搭乗情報データベース３０１の搭乗案内メッセージ保持部３０１Ｂに保持される搭乗案内メッセージを説明する図である。
【図７】図１における交通情報配信システムの一連の第１の動作例を説明するフローチャート図である。
【図８】図１における交通情報配信システムの一連の第２の動作例を説明するフローチャート図である。
【図９】図１における交通情報配信システムの一連の第３の動作例を説明するフローチャート図である。
【図１０】図１における交通情報配信システムの一連の第４の動作例を説明するフローチャート図である。
【図１１】セントラルサーバ３００の制御部３０３が搭乗案内メッセージ保持部３０１Ｂから取り出す動作例を説明するフローチャート図である。
【図１２】図２における携帯通信端末１００の制御部１１０の搭乗案内要求制御部１１０Ａの動作の第１の変形例を説明するフローチャート図である。
【図１３】図２における携帯通信端末１００の制御部１１０の利用便名送信制御部１１０Ｂの動作の第１の変形例を説明するフローチャート図である。
【図１４】図２における携帯通信端末１００の制御部１１０の電子メールアドレス送信制御部１１０Ｃの動作の第１の変形例を説明するフローチャート図である。
【図１５】図２における携帯通信端末１００の制御部１１０の電子メールアドレス送信制御部１１０Ｃの動作の第２の変形例を説明するフローチャート図である。
【符号の説明】
【００７１】
１００…携帯通信端末
１０１…無線部
１０２…表示部
１０３…操作部
１０４…ＲＦＩＤ
１０５…送受話部
１０６…マイクロフォン
１０７、１０８…スピーカ
１０９…メモリ
１１０…制御部
１１０Ａ…搭乗案内要求制御部
１１０Ｂ…利用便名送信制御部
１１０Ｃ…電子メールアドレス送信制御部
２００…搭乗案内装置
２０１…ＲＦＩＤ
２０２…ＮＷ通信部
２０３…制御部
２０３Ａ…搭乗待合室内外識別情報保存部
３００…セントラルサーバ
３０１…搭乗情報データベース
３０１Ａ…搭乗案内保持部
３０１Ｂ…搭乗案内メッセージ保持部
３０２…ＮＷ通信部
３０３…制御部
３０３Ａ…搭乗案内更新部
４００…通信ネットワーク
【図１】
2006254245.tif 000003
【図２】
2006254245.tif 000004
【図３】
2006254245.tif 000005
【図４】
2006254245.tif 000006
【図５】
2006254245.tif 000007
【図６】
2006254245.tif 000008
【図７】
2006254245.tif 000009
【図８】
2006254245.tif 000010
【図９】
2006254245.tif 000011
【図１０】
2006254245.tif 000012
【図１１】
2006254245.tif 000013
【図１２】
2006254245.tif 000014
【図１３】
2006254245.tif 000015
【図１４】
2006254245.tif 000016
【図１５】
2006254245.tif 000017